【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
装置であって、
電源出力ノード上に複数の出力電圧の任意のものを生成するように構成可能な電源に結合されるように構成される、電圧自動検出電力分配（ＰＤ）コントローラであって、
ケーブルを介してデバイス接続を検出し、
複数の制御信号の組み合わせをアサートし、
前記制御信号の各組み合わせについて、前記電源からの出力電圧の値を測定し、前記測定した値を示す値を記憶し、
前記測定された出力電圧を示す前記値を含む、前記デバイスに伝送するための複数のパケットを生成する、
ように更に構成される、前記電圧自動検出ＰＤコントローラを含む、装置。
【請求項２】
請求項１に記載の装置であって、
前記電圧自動検出ＰＤコントローラが、前記電源からの各出力電圧をデジタル測定値に変換するように構成されるアナログデジタルコンバータを含む、装置。
【請求項３】
請求項１に記載の装置であって、
前記電源出力ノードから電圧バスへ出力電圧に結合するように構成される電力スイッチを更に含み、
前記電圧自動検出ＰＤコントローラが、前記制御信号の組み合わせをアサートし、前記電源出力電圧を測定する間に、前記電力スイッチを開状態になるように制御するように更に構成される、装置。
【請求項４】
請求項３に記載の装置であって、
前記電源と前記電圧バスとの間に結合されるように構成され、電源出力ノードからの出力電圧を前記電圧バスのための所定の電圧に変換するように更に構成される、直流・直流（ＤＣ／ＤＣ）コンバータを更に含み、
前記ＤＣ／ＤＣコンバータがイネーブル／ディセーブル端子を含み、
前記電圧自動検出ＰＤコントローラが、前記制御信号の組み合わせのうちの少なくとも１つをアサートし、対応する出力電圧値を測定する間に、前記所定の電圧を前記電圧バス上に出力するように前記ＤＣ／ＤＣコンバータをイネーブルにするために、イネーブル／ディセーブル信号を前記ＤＣ／ＤＣコンバータにアサートするように更に構成される、装置。
【請求項５】
請求項３に記載の装置であって、
前記電源出力ノードと接地との間に結合されるように構成され、前記電圧自動検出ＰＤコントローラに結合されるイネーブル／ディセーブル端子を含む負荷回路を更に含む、装置。
【請求項６】
請求項１に記載の装置であって、
前記電源の出力電圧ノードと接地との間に直列に接続される第１及び第２の抵抗器を含む構成可能抵抗分圧器ネットワークであって、前記第１及び第２の抵抗器の間の抵抗器ノードと前記電圧自動検出ＰＤコントローラの第１の制御端子との間に結合される第３の抵抗器と、前記抵抗器ノードと前記電圧自動検出ＰＤコントローラへの第２の制御端子との間に結合される第４の抵抗器とを更に含む、前記構成可能抵抗分圧器ネットワークを更に含む、装置。
【請求項７】
請求項６に記載の装置であって、
前記電圧自動検出ＰＤコントローラが、対応する制御端子の論理状態に基づいて前記第３及び第４の抵抗器の各々が接地に選択的に結合されることをもたらす各周期で、前記第１及び第２の制御端子に対して論理状態の複数の組み合わせを周期的に繰り返すように更に構成される、装置。
【請求項８】
請求項１に記載の装置であって、
前記電圧自動検出ＰＤコントローラが、デバイスの検出のために制御チャネル（ＣＣ）導体上の信号レベルを監視し、
前記装置が、プルアップ抵抗器又は電流源と、正の電圧レベルとＣＣ導体との間に結合されるソリッドステートスイッチとを更に含み、
前記電圧自動検出ＰＤコントローラが、前記制御信号の前記アサートされた組み合わせのすべてについて、前記出力電圧値のすべてを測定した後に前記ソリッドステートスイッチを閉じるために信号をアサートするように更に構成される、装置。
【請求項９】
請求項１に記載の装置であって、
前記電圧自動検出ＰＤコントローラが、各測定された出力電圧値について上限電圧閾値と下限電圧閾値とを計算する、装置。
【請求項１０】
請求項１に記載の装置であって、
前記電圧自動検出ＰＤコントローラが、第１の測定された出力電圧値を別個の値に丸めるように更に構成され、
前記第１の測定された出力電圧値を示すパラメータを含むパケットが前記別個の値を含む、装置。
【請求項１１】
請求項１に記載の装置であって、
前記電圧自動検出ＰＤコントローラが、
前記デバイスから前記ケーブルを介して動作電圧を受け取るためにシンクモードに初期化し、
前記シンクモードにある間に前記制御信号の前記組み合わせをアサートし、前記出力電圧値を測定する、
ように更に構成される、装置。
【請求項１２】
装置であって、
電源出力ノードと電圧バスとの間に結合されるように構成される電力スイッチであって、前記電源出力ノードから前記電圧バスへ出力電圧を結合するように更に構成される、前記電力スイッチと、
前記電源と、イネーブル信号を介して前記電力スイッチとに結合されるように構成される電圧自動検出電力分配（ＰＤ）コントローラであって、選択的に開状態又は閉状態となるように前記電力スイッチを制御するように更に構成される、前記電圧自動検出ＰＤコントローラと、
前記電圧自動検出ＰＤコントローラに結合される構成可能抵抗分圧器ネットワークと、
を含み、
前記電圧自動検出ＰＤコントローラが、ケーブルを介して装置に結合されるシンクデバイスの検出の際に、電源出力電圧学習モードを始動するように更に構成され、
前記電源出力電圧学習モードの間に、前記電圧自動検出ＰＤコントローラが、
オフ状態にするように前記電力スイッチを構成するために前記イネーブル信号を用い、
前記構成可能抵抗分圧器ネットワークへの複数の制御信号の組み合わせをアサートし、
制御信号の各組み合わせについて、前記電源からの出力電圧の値を測定し、
前記シンクデバイスに伝送するための、測定された出力電圧を示すパラメータを各パケ
ットが含む、複数のパケットを生成する、
ように更に構成される、装置。
【請求項１３】
請求項１２に記載の装置であって、
前記電源と前記電圧バスとの間に結合され、電源出力ノードからの出力電圧を前記電圧バスのための所定の電圧に変換するように構成される、直流・直流（ＤＣ／ＤＣ）コンバータを更に含み、
前記ＤＣ／ＤＣコンバータがイネーブル／ディセーブル端子を含み、
前記電圧自動検出ＰＤコントローラが、前記制御信号の組み合わせのうちの少なくとも１つをアサートし、対応する出力電圧値を測定する間に、前記所定の電圧を前記電圧バス上に出力するように前記ＤＣ／ＤＣコンバータをイネーブルにするために、イネーブル信号を前記ＤＣ／ＤＣコンバータにアサートするように更に構成される、装置。
【請求項１４】
請求項１２に記載の装置であって、
前記電源出力ノードと接地との間に結合され、前記電圧自動検出ＰＤコントローラに結合されるイネーブル／ディセーブル端子を含む負荷回路を更に含む、装置。
【請求項１５】
請求項１２に記載の装置であって、
前記構成可能抵抗分圧器ネットワークが、前記電源出力ノードと接地との間に直列に接続される第１及び第２の抵抗器を含み、前記構成可能抵抗分圧器ネットワークが、前記第１及び第２の抵抗器の間の抵抗器ノードに結合される第３及び第４の抵抗器を更に含み、
前記電圧自動検出ＰＤコントローラが、対応する制御信号の論理状態に基づいて前記第３及び第４の抵抗器の各々が接地に選択的に結合されることをもたらす各周期で、前記制御端子に対して論理状態の複数の組み合わせを周期的に繰り返すように更に構成される、装置。
【請求項１６】
請求項１２に記載の装置であって、
前記電圧自動検出ＰＤコントローラが、前記測定された出力電圧値のうちの少なくとも１つを別個の値に丸めるように更に構成され、
前記測定された出力電圧値を示すパラメータを含むパケットが前記別個の値を含む、装置。
【請求項１７】
方法であって、
第１のデバイスの第２のデバイスへの取り付けを検出することと、
複数の出力電圧を生成するために前記第２のデバイスの電源を反復的に構成し、各反復について各出力電圧を測定して各測定された出力電圧を示す値を記憶することと、
通信パケットを前記第１のデバイスに伝送することであって、前記通信パケットが前記測定された出力電圧を示す前記値を含む、前記伝送することと、
を含む、方法。
【請求項１８】
請求項１７に記載の方法であって、
前記複数の出力電圧を生成するために前記第２のデバイスの電源を構成することが、構成可能抵抗分圧器ネットワークに結合される制御信号の組み合わせを生成することを含み、制御信号の各組み合わせが前記構成可能抵抗分圧器ネットワークを制御信号の他の組み合わせとは異なって構成する、方法。
【請求項１９】
請求項１７に記載の方法であって、
前記第２のデバイスの電源の反復のすべてを反復する前に、前記第１のデバイスへの電圧バス上の所定の電圧を生成するために直流・直流コンバータをイネーブルすることと、
前記第２のデバイスの電源の反復のすべてを完了した後であり、前記通信パケットを前記第１のデバイスに伝送する前に、前記直流・直流コンバータをディセーブルすることと、
を更に含む、方法。
【請求項２０】
請求項１７に記載の方法であって、
各測定された出力電圧値について上限電圧閾値と下限電圧閾値とを計算することと、
前記計算された上限及び下限の電圧閾値を前記対応する測定された出力電圧を示す前記値と共に記憶することと、
を更に含む、方法。